(57)【特許請求の範囲】
【請求項１】
ラフィノース含有液を固形分濃度で４０重量％以上に濃縮した後、種晶を加え、絶対圧１００〜１０ｍｍＨｇで温度を３０〜７０℃に維持しながら結晶を成長させる蒸発結晶化法によりラフィノース結晶を回収すること、を特徴とするラフィノース結晶の製造方法。
【請求項２】
ラフィノース含有液のラフィノース純度が乾燥固形分あたり５０％以上であること、を特徴とする請求項１に記載のラフィノース結晶の製造方法。
【請求項３】
ラフィノース結晶を成長させた後、当該液の温度を結晶成長工程よりも２〜１５℃低下させラフィノース結晶を回収すること、を特徴とする請求項１又は２に記載のラフィノース結晶の製造方法。
【発明の詳細な説明】
【技術分野】
【０００１】
本発明は、ラフィノース結晶の製造方法に関するものであり、更に詳細には、従来専ら行われていた冷却結晶化法とは全く異なる蒸発結晶化法によってラフィノース含有溶液からラフィノース結晶を製造する方法に関するものである。
【背景技術】
【０００２】
ラフィノースは、スクロースのグルコシル基の第６位の炭素原子にガラクトースがα−１，６結合した３糖類のオリゴ糖であり、現在は、甜菜糖蜜を原料とした抽出法により製造されている。
【０００３】
この甜菜糖蜜からラフィノースを製造する方法については特許文献１に、また、ラフィノース結晶の製造方法については、特許文献２、非特許文献１、２に記載されているが、すべて冷却結晶化法にてラフィノースの結晶化が行われている。
【０００４】
すなわち、各先行技術文献においては、ラフィノースの結晶化について、それぞれ、次のように記載されているように、いずれも、専ら、冷却結晶化法によって結晶化が行われている。
【０００５】
特公昭５６−３９６４０（特許文献１）
ビート糖蜜からクロマト分離によりラフィノース画分を回収して、結晶化を行うことを特徴とする、ラフィノースの製造方法に関するものであって、蔗糖の晶出しない濃度範囲において濃縮し、種結晶法により、ラフィノース（５水塩）を結晶として採取する。ブリックス６０．８に濃縮し、ラフィノースをシードし常温にて一昼夜緩く撹拌放置したところ、針状の微細結晶が析出したことが記載されている。
【０００６】
特開平１１−７５９００（特許文献２）
ラフィノースの結晶を効率よく大量に製造する方法に関するものであって、ラフィノースを冷却結晶化で製造する際の装置及び結晶化法が具体的に記載されている。ラフィノースの結晶化は、蒸発結晶化にて行われていない。
上記から明らかなように、結晶化は、蒸発結晶化法ではなく冷却結晶化法にて行われている。
【０００７】
精糖技術研究会誌第３０号ｐ．７２−８０（非特許文献１）。
ビート糖蜜からクロマト分離によりラフィノース画分を回収して、結晶化を行った。結晶化に関しては、ラフィノース画分を濃縮後、若干のシーディングを行い、冷蔵庫（４℃）中に２４時間放置後、室温で１８時間助晶したことが記載されている。
本報告においても、その記載から明らかなように、ラフィノースの結晶化は、冷却結晶化法にて行われており、蒸発結晶化では行われていない。
【０００８】
精糖技術研究会誌第３１号ｐ．５５−６３（１９８２）（非特許文献２）
パイロットプラントによるラフィノースの製造試験についての報告である。ラフィノース区分をＢｘ（ブリックス）７０まで濃縮し、容量４００Ｌのジャケット付き横型クリスタライザーに入れ、回転数１０ｒｐｍでゆっくり回転させ、温度６０℃付近でラフィノースの微粉末をシードし、さらに１２〜１６時間助晶した後分蜜することが記載されている。
具体的には、あらかじめ種用クリスタライザーで種結晶を作り、ジャケットに冷水を通したクリスタライザーに移し、８０℃に加温したＢｘ４０の母液を徐々に添加して結晶を成長させた、との記載がある。
本報告においても、上記から明らかなように、ラフィノースの結晶化は、冷却結晶化法にて行われており、蒸発結晶化法では行われていない。
【０００９】
当業界において、１９６８年ドイツ精糖工業会編集、北海道糖業株式会社訳「精糖技術（上巻）」ｐ．４３４−４３５（非特許文献３）にも明記されているように、物質の結晶化にあたり、各種物質の温度に対する溶解度曲線（非特許文献３のｐ．４３５に示されている第１図）より、溶解度の溶解従属性が非常に強いＩ−曲線の場合は、「冷却結晶化法を選ぶべきである」と規定されている。これに対して、その溶解度が温度にほとんど影響を受けない物質IIの場合は、蒸発結晶化法が適していると明記されている。
【００１０】
ここで、ラフィノース及び蔗糖の温度に対する溶解度曲線（図１）を見てみると、ラフィノースの場合は、溶解度曲線の傾きが大きく、溶解温度による溶解度の変化が大きい、換言すれば、溶解度の温度従属性が非常に強いことが明示されている。このことは、ラフィノースの溶解度曲線は非特許文献３に示されているＩ−曲線と同様であることを明示するものであり、このような場合には「冷却結晶化法を選ぶべきである」と同文献に明記されている。
【００１１】
この点は、特許文献２にも、例えば発明の効果の項においても、「従来においてもラフィノースの結晶化は冷却結晶法がとられている」と明記されており、ラフィノースの結晶化は、他の方法ではなく、冷却結晶化法によることが常法であることが明示されている。
【００１２】
このような技術常識にしたがい、従来のラフィノースの冷却結晶化法は、ラフィノースがスクロースや他のオリゴ糖と比較して溶解度曲線の傾きが大きく、溶液温度による溶解度の変化が大きいという特性を利用したものである。結晶化とは対象物質を過飽和の状態にして析出させることであるから、ラフィノースの結晶化は小さな温度変化で過飽和状態にできるというラフィノースの溶解度特性を生かした冷却結晶化法が適していると考えられてきた。そのため、ラフィノース結晶の製造法は専ら冷却結晶化法が採用されてきた。
【００１３】
また、図１に示した溶解度曲線を見れば、ラフィノースは、これを暖かい内に溶解しておけば室温に放置しておくだけできわめて容易に結晶化してくることは当業者ならずとも容易に理解し得ることである。してみれば、このようにきわめて簡単に結晶化するラフィノースについて、わざわざエネルギーを要する煎糖処理すること、つまり、蒸発結晶化法によって結晶化することは考えられないといわざるを得ない。事実、蒸発結晶化法によってラフィノースを結晶化した成功例についての報告は未だなされていない。
【００１４】
本発明は、このような技術常識にあえて反して従来からの技術常識として行われてきた冷却結晶化法にかえて従来全く想像もされなかった蒸発結晶化法にあえて着目し、蒸発結晶化法をはじめてラフィノースの結晶化に適用したところ、結晶化に成功した。そのうえ、結晶化時間を大幅に短縮できるだけでなく、結晶の大きさを自由に調整できるという著効、特に工場での大量製造に好適であることも確認し、本発明を完成したものである。
【００１５】
このように、本発明は従来想像されたこともなく全く実施もされてもいなかった蒸発結晶化法をラフィノースの結晶化にはじめて成功しただけでなく、きわめて顕著な効果が奏される点でも特徴的であり、このように卓越した本発明は、充分に新規性及び進歩性に関する要件を具備するものである。
【特許文献１】特公昭５６−３９６４０号公報
【特許文献２】特開平１１−７５９００号公報
【非特許文献１】精糖技術研究会誌、第３０号、ｐ．７２−８０（１９８２）
【非特許文献２】精糖技術研究会誌、第３１号、ｐ．５５−６３（１９８２）
【非特許文献３】ドイツ精糖工業会編集、北海道糖業株式会社訳、「精糖技術（上巻）」、ｐ．４３４−４３５（１９６８）
【発明の開示】
【発明が解決しようとする課題】
【００１６】
本発明は、ラフィノースの需要の高まりにともない、ラフィノースの製造能力を上げるために、短時間で結晶を製造することができ、さらに、製造する結晶粒径を調整することが可能なしかも容易な結晶化方法、それも大量に処理できる工業化にも対応できる新規にして有用なラフィノースの結晶化方法を新たに開発する目的でなされたものである。
【課題を解決するための手段】
【００１７】
本発明は、上記課題を解決する目的でなされたものであって、従来専ら行われていた冷却結晶化法では所期の目的（短時間結晶化、結晶粒径の調整）が達成されないことを確認し、その結果、発想の転換の必要性を認めた。
【００１８】
そこで本発明者らは、各方面から検討した結果、技術常識上そしてまた溶解度曲線からも明らかなように、ラフィノースの結晶化には冷却結晶化法が適しており、実際の製造にも専ら冷却結晶化法が用いられているにもかかわらず、これを改良するのではなく、全く別の方法で課題を解決することとし、冷却結晶化法とは対極をなし、しかも従来行われたこともない蒸発結晶化法にはじめて着目した。
【００１９】
そして、本発明者らは、ラフィノース含有液を蒸発結晶化処理したところ短時間で十分な大きさのラフィノース結晶を析出することができ、またその際、結晶化条件を調整することにより、結晶粒径を任意に調整できることをはじめて見出した。
【００２０】
本発明は、この有用新知見に基づき更に研究の結果遂に完成されたものであって、ラフィノース含有液から従来行われたことのない蒸発結晶化法によりラフィノース結晶を回収すること、を特徴とするラフィノース結晶の製造方法を基本的技術思想とするものである。
【００２１】
本発明の実施態様は、次のとおりである。
（１）ラフィノース含有液から蒸発結晶化法によりラフィノース結晶を回収すること、を特徴とするラフィノース結晶の製造方法。
（２）ラフィノース含有液のラフィノース純度が乾燥固形分あたり５０％以上、好ましくは５５〜９５％、好適には６０〜９０％であること、を特徴とする（１）に記載のラフィノース結晶の製造方法。
（３）ラフィノース含有液を固形分濃度（固形分含量）で４０重量％以上、好ましくは４５〜７５重量％、好適には４８〜６５重量％に濃縮した後に結晶化すること、を特徴とする（１）又は（２）に記載のラフィノース結晶の製造方法。
（４）ラフィノース含有液の濃縮液に種晶を加えること、を特徴とする（１）〜（３）のいずれか１項に記載のラフィノース結晶の製造方法。
（５）ラフィノース含有液の濃縮液に種晶を加えた後、絶対圧１００〜１０ｍｍＨｇ、好ましくは８５〜６５ｍｍＨｇ、好適には７５〜７０ｍｍＨｇで温度を３０〜７０℃に維持しながら結晶を成長させること、を特徴とする（１）〜（４）のいずれか１項に記載のラフィノース結晶の製造方法。
（６）ラフィノース結晶を成長させた後、当該液の温度を結晶成長工程よりも２〜１５℃低下させラフィノース結晶を回収すること、を特徴とする（１）〜（５）のいずれか１項に記載のラフィノース結晶の製造方法。
【発明の効果】
【００２２】
従来専ら行われていた冷却結晶化法では十分な大きさのラフィノース結晶を析出させるのに長時間を要するため、ラフィノースの製造工程においては、結晶化工程が製造能力の制限要因となっていた。さらに、冷却結晶化法では、ラフィノースの用途によって適する結晶粒径が異なる場合があっても、結晶粒径を調整するのが難しく、粒度分布の狭い結晶を製造することは容易ではなかった。
【００２３】
これに対して本発明によれば、結晶化に要する時間が従来の冷却結晶化法に比べ短時間で済むため、ラフィノースの製造工程における結晶化工程の能力不足が解消される。また、ラフィノースの用途によって適する結晶粒径が異なる場合があっても、結晶粒径を調整することが容易であるという著効が奏される。
【発明を実施するための最良の形態】
【００２４】
本発明は、蒸発結晶化法によるラフィノースの結晶化方法、ないしラフィノース結晶の製造方法に関するものである。蒸発結晶化法であればすべて使用できるが、その手順は例えば次のとおりである。
【００２５】
（１）ラフィノース含有液の調製、（２）濃縮、（３）種晶のシーディング、（４）減圧下結晶成長工程、（５）微細結晶溶解（必要あれば、本工程をくり返す）、（６）助晶工程、（７）遠心分離、濾過、デカンテーション等固液分離の常套手段にて、生成したラフィノース結晶を回収する。
【００２６】
以下、本発明を詳細に説明する。
【００２７】
本発明でいうラフィノース含有液は、ラフィノースを含有した溶液であればすべてのものが包含されるが、その代表例として、甜菜糖蜜由来のラフィノース高含有溶液が挙げられる。甜菜糖蜜とは、甜菜糖を製造する際、砂糖白下を分蜜機で分蜜した時に生じる振蜜が該当する。ラフィノース高含有溶液とは、ラフィノース純度が乾燥固形分あたり５０〜１００％のものであり、甜菜糖蜜からイオン交換樹脂によるクロマト分離によって得られたラフィノース画分、ラフィノース粗結晶の振蜜、粗結晶溶解液、精製結晶の振蜜等がこれに該当する。
【００２８】
本発明における蒸発結晶化にはラフィノース純度が乾燥固形分あたり５０％以上、好ましくは６０％以上であるラフィノース含有液を用いる。ラフィノース純度５０％以下でも結晶化は可能であるが、結晶を十分な大きさまで成長させるのに時間がかかるため、実用的ではない。
【００２９】
結晶化においては、まず、上記のラフィノース含有液を固形分濃度４０％以上、好ましくは固形分濃度５０〜７０％となるまで濃縮する。低い固形分濃度で蒸発結晶化するためには、低温にして過飽和とする必要がある。低温で水を蒸発させながら結晶化させるには、減圧度を強めなければならないため、固形分濃度４０％以下での結晶化は実用的ではない。
【００３０】
その後、濃縮液に核となる種晶（ラフィノース微細結晶もしくはラフィノース微細結晶の懸濁液）を添加する。種晶を加えた後、絶対圧１００〜１０ｍｍＨｇで温度を３０〜７０℃、好ましくは４０〜６０℃に維持しながら２〜１２時間かけて結晶を成長させる。温度３０℃以下での結晶化は、上述の通り実用的ではない。また、７０℃以上の温度では結晶は析出しない。
【００３１】
ラフィノース結晶を成長させている際に発生するラフィノース微結晶は、当該液を加温するか、もしくは加水することにより溶解する。必要に応じてこの工程を繰り返す。
【００３２】
このようにしてラフィノース結晶を成長させた後、２〜１２時間かけて当該液の温度を結晶成長工程よりも２〜１５℃低下させて結晶をさらに成長させ、得られたラフィノース結晶を分蜜により回収する。
【００３３】
上記工程で製造されるラフィノース結晶は、粒度分布の狭い均一な結晶である。
【００３４】
本発明に係る蒸発結晶化において、生成する結晶の粒径は、加える（シードする）種晶の数と過飽和度によって制御することができる。
すなわち、シードする種晶の目数を多くし、過飽和度が高い状態で結晶化を行うと、粒径の小さな結晶が製造でき、反対に、シードする種晶の目数を少なくし、過飽和度を抑えた状態で結晶化を行うと、粒径の大きな結晶が製造できる。
【００３５】
過飽和状態とは、ある物質がその温度におけるその物質の溶解度を超えて溶解している状態であり、過飽和度はその割合を示したものである。従って、同じ温度では固形分濃度が高いほど過飽和度は高く、同じ固形分濃度では温度が低いほど過飽和度が高いということになる。
【００３６】
そこで、育晶時（結晶成長工程）の温度を同じとすると、シードする種晶の量（シードする種晶の目数）を多くして、固形分濃度の高い状態で育晶（結晶成長）を行うと、粒径の小さな結晶が得られ、シードする種晶の量（シードする種晶の目数）を少なくし、固形分濃度の低い状態で育晶（結晶成長）すると、大きな結晶が得られることになる。
このように、蒸発結晶化方法によれば、シードする種晶の量、結晶成長時の温度、濃度を適宜コントロールすることにより、目的とする粒径の結晶を製造することができる。
【００３７】
本発明は、ラフィノースの結晶化に蒸発結晶化法をはじめて導入することによって、短時間の結晶化に成功しただけでなく、上記のように結晶の大きさを使用目的に応じて、必要とされる大きさに自由に調整することにも初めて成功したものであって、極めて顕著な効果を奏するものである。
このように、本発明はラフィノースを蒸発結晶化法によって結晶化することにより、目的とする粒径のラフィノース結晶を大量生産、工業生産することを初めて可能にするものであって、ラフィノースと蒸発結晶化法とのユニークにして極めて特異的な特徴ある有機的結合をなすものである。
【００３８】
ラフィノースの蒸発結晶化手順を例示すれば次のとおりである：
（１）純度５０％以上（乾燥固形分あたり）のラフィノース含有溶液を用意する。
（２）該ラフィノース溶液を固形分濃度４０重量％以上に濃縮する。
（３）濃縮液に種晶（ラフィノースの微細結晶または微細結晶を少量のエタノールに懸濁させたもの）を加える。
（４）種晶を添加後、絶対圧１００〜１０ｍｍＨｇ、温度３０〜７０℃に維持して結晶を成長させる。
（５）結晶成長過程で析出した微細結晶を、当該液を加熱あるいは加水することにより溶解する。必要に応じてこの操作を繰り返す。
（６）ラフィノースの結晶を成長させた後、当該液の温度を２〜１５℃低下させることにより、さらに結晶を成長させる。（助晶）
（７）精製した結晶を遠心分離（分蜜）により回収する。
【実施例】
【００３９】
以下に本発明の実施例について既述するが、本発明はこれらの実施例のみに限定されるものではない。
【００４０】
（実施例１）
ラフィノース（無水物）１６８ｇとスクロース４２ｇを水３１５ｇに溶解し、固形分濃度４０％、ラフィノース純度８０％のモデル糖液（５２５ｇ）を作成した。これを全量５００ｍｌ容のフラスコに入れ、ロータリーエバポレーターにて４５℃で固形分濃度５４％まで濃縮した。そこにラフィノース微細結晶１７０ｍｇをエタノールに懸濁した液を添加し、低速でフラスコを回転させながら４５℃、７０ｍｍＨｇで育晶した。４時間後、遠心分離機を用いて結晶を分離した。この時の結晶化率は５２％、結晶の純度は９５％であった。
【００４１】
（実施例２）
ラフィノース（無水物）１２６ｇとスクロース８４ｇを水３１５ｇに溶解し、固形分濃度４０％、ラフィノース純度６０％のモデル糖液（５２５ｇ）を作成した。これを全量５００ｍｌ容のフラスコに入れ、ロータリーエバポレーターにて５０℃で固形分濃度６２％まで濃縮した。そこにラフィノース微細結晶１３０ｍｇをエタノールに懸濁した液を添加し、低速でフラスコを回転させながら５０℃、７２ｍｍＨｇで育晶した。８時間後、遠心分離機を用いて結晶を分離した。この時の結晶化率は３３％、結晶の純度は８２％であった。
【００４２】
（実施例３）
ラフィノース（無水物）１８９ｇとスクロース２１ｇを水３１５ｇに溶解し、固形分濃度４０％、ラフィノース純度９０％のモデル糖液（５２５ｇ）を作成した。これを全量５００ｍｌ容のフラスコに入れ、ロータリーエバポレーターにて４５℃で固形分濃度４８％まで濃縮した。そこにラフィノース微細結晶１７０ｍｇをエタノールに懸濁した液を添加し、低速でフラスコを回転させながら４５℃、７０ｍｍＨｇで育晶した。２時間後、減圧を止め、引き続き２時間かけて温度４０℃まで下げて助晶した。その後、遠心分離機を用いて結晶を分離した。この時の結晶化率は５２％、結晶の純度は９８％であった。
【００４３】
（実施例４）
脱塩工程を経て甜菜糖を製造する際、生産される糖蜜（固形分濃度８０％）を固形分濃度６０％に稀釈し、温度８０℃でイオン交換樹脂によるクロマト分離を行い、ラフィノースに富む画分を得た。この画分の組成は以下の通りであった。
【００４４】
固形分濃度              ６％
ラフィノース          ６２％
スクロース              ５％
その他                ３３％
【００４５】
このラフィノース画分を固形分濃度４０％まで濃縮した濃縮液を用いて結晶化を行った。この濃縮液５２５ｇを５００ｍｌ容フラスコに入れ、ロータリーエバポレーターにて５０℃で固形分濃度６０％まで濃縮した。そこにラフィノース微細結晶１３０ｍｇをエタノールに懸濁した液を添加し、低速でフラスコを回転させながら５０℃、７２ｍｍＨｇで育晶した。８時間後、遠心分離機を用いて結晶を分離した。この時の結晶化率は３５％、結晶の純度は８５％であった。
【００４６】
なお、ラフィノースの結晶化率は、以下のようにして求めた。
ラフィノースの結晶化率（％）＝（Ａ／Ｂ）×１００
【００４７】
Ａ＝結晶重量（ｇ）×結晶のラフィノース純度（％）
Ｂ＝結晶化に用いた糖液中のラフィノース重量（ｇ）
【００４８】
本発明によれば、従来から行われていた冷却結晶化法が１２〜１６時間、長い場合には１８〜２４時間あるいはそれ以上の長時間を要するのに対して、本発明方法（蒸発結晶化法）によれば、早い場合には２時間あるいはそれ以内の短時間、通常、４〜８時間あるいはそれよりも短時間で結晶を得ることができる。
【図面の簡単な説明】
【００４９】
【図１】ラフィノース及び蔗糖の温度と溶解度の関係を示すグラフである。
【図１】
0005020769.tif 000002